(57)【要約】【課題】  電子機器においてユーザフレンドリーに生体情報を検出することにある。【解決手段】  操作部５と、生体情報を検出する検出部７と、アプリケーションを実行する実行部１３と、前記操作部５を操作する操作者の接触を検知する接触検知部８と、前記生体情報に関するアプリケーションとは異なる他のアプリケーションが実行されている際に、前記接触検知部８が前記接触を検知した場合には、前記検出部７に前記生体情報を検出させる制御部１１と、を備えることを特徴とする電子機器である。【選択図】図１
2011010059.tif 000002
【特許請求の範囲】
【請求項１】
操作部と、
生体情報を検出する検出部と、
アプリケーションを実行する実行部と、
前記操作部を操作する操作者の接触を検知する接触検知部と、
前記生体情報に関するアプリケーションとは異なる他のアプリケーションが実行されている際に、前記接触検知部が前記接触を検知した場合には、前記検出部に前記生体情報を検出させる制御部と、
を備えることを特徴とする電子機器。
【請求項２】
前記制御部は、
前記生体情報に関するアプリケーションとは異なる他のアプリケーションの実行が開始された際に、前記検出部に前記生体情報の検出を開始させる請求項１に記載の電子機器。
【請求項３】
前記他のアプリケーションは、文字又は記号を入力するアプリケーション、ウェブブラウザアプリケーション又は通話アプリケーションのいずれかであることを特徴とする請求項１又は２に記載の電子機器。
【請求項４】
前記検出部はＯＮ状態とＯＦＦ状態を切り換え可能な検出センサを有し、
前記制御部は、
前記他のアプリケーションの実行が開始された際に、ＯＦＦ状態の前記検出センサをＯＮ状態に移行させて前記生体情報の検出を開始させ、
前記他のアプリケーションの実行が終了された際に、ＯＮ状態の前記検出センサをＯＦＦ状態に移行させて前記生体情報の検出を終了させることを特徴とする請求項１乃至３のいずれか１項に記載の電子機器。
【請求項５】
前記生体情報は体温であり、
前記検出部により検出される体温と、当該体温を検出した日時とを対応付けて記憶する記憶部と、
前記記憶部に記憶された前記体温及び前記日時から時間と体温の対応関係を表す近似式を作成する作成部と、
を更に備える請求項１乃至４のいずれか１項に記載の電子機器。
【請求項６】
前記検出部により所定の時間帯に検出された体温と、前記式に基づいて算出された前記所定の時間帯における算出体温とに所定値以上の差分があるか否かを判定する判定部と、
前記判定部により所定値以上の差分があると判定された場合に、その旨の報知を行う報知部と、
を更に備える請求項５に記載の電子機器。
【請求項７】
電子機器による生体情報の検出方法であって、
前記生体情報に関するアプリケーションとは異なる他のアプリケーションを実行させるステップと、
前記他のアプリケーションの実行中に、前記電子機器に操作者が接触しているか否かを検知するステップと、
前記接触を検知した場合には、前記他のアプリケーションの実行中に前記生体情報を検出する検出ステップと、
を有することを特徴とする生体情報検出方法。
【発明の詳細な説明】
【技術分野】
【０００１】
本発明は、電子機器、及び生体情報検出方法に関する。
【背景技術】
【０００２】
電子機器の中には、生体情報（例えば、体温）を検出するものがある。この電子機器は、生体情報を検出する検出部と、操作部と、を備える。そして、操作部の所定の操作によって体温等の生体情報の検出をする（特許文献１参照）。
【先行技術文献】
【特許文献】
【０００３】
【特許文献１】特開２００３−１４４３９２号公報
【発明の概要】
【発明が解決しようとする課題】
【０００４】
ところで、体調を管理するためには、毎日の生体情報の変化を検出することが望ましい。しかし、上記従来技術において、生体情報を検出するために所定の操作を必要としていては、ユーザが生体情報を検出するのを忘れてしまうおそれがあり、ユーザフレンドリーに生体情報を検出することができない。
【０００５】
本発明はかかる課題を解決するためになされたもので、ユーザフレンドリーに生体情報を検出可能な電子機器を提供することを目的とする。
【課題を解決するための手段】
【０００６】
前記課題を解決するために、主たる本発明は、操作部と、生体情報を検出する検出部と、アプリケーションを実行する実行部と、前記操作部を操作する操作者の接触を検知する接触検知部と、前記生体情報に関するアプリケーションとは異なる他のアプリケーションが実行されている際に、前記接触検知部が前記接触を検知した場合には、前記検出部に前記生体情報を検出させる制御部と、を備えることを特徴とする電子機器である。
【０００７】
また、かかる電子機器であって、前記制御部は、前記生体情報に関するアプリケーションとは異なる他のアプリケーションの実行が開始された際に、前記検出部に前記生体情報の検出を開始させることが望ましい。
【０００８】
また、かかる電子機器であって、前記他のアプリケーションは、文字又は記号を入力するアプリケーション、ウェブブラウザアプリケーション又は通話アプリケーションのいずれかであることが望ましい。
【０００９】
また、かかる電子機器であって、前記検出部はＯＮ状態とＯＦＦ状態を切り換え可能な検出センサを有し、前記制御部は、前記他のアプリケーションの実行が開始された際に、ＯＦＦ状態の前記検出センサをＯＮ状態に移行させて前記生体情報の検出を開始させ、前記他のアプリケーションの実行が終了された際に、ＯＮ状態の前記検出センサをＯＦＦ状態に移行させて前記生体情報の検出を終了させることが望ましい。
【００１０】
また、かかる電子機器であって、前記生体情報は体温であり、前記検出部により検出される体温と、当該体温を検出した日時とを対応付けて記憶する記憶部と、前記記憶部に記憶された前記体温及び前記日時から時間と体温の対応関係を表す近似式を作成する作成部と、を更に備えることが望ましい。
【００１１】
また、かかる電子機器であって、前記検出部により所定の時間帯に検出された体温と、前記式に基づいて算出された前記所定の時間帯における算出体温とに所定値以上の差分があるか否かを判定する判定部と、前記判定部により所定値以上の差分があると判定された場合に、その旨の報知を行う報知部と、を更に備えることが望ましい。
【００１２】
また、電子機器による生体情報の検出方法であって、前記生体情報に関するアプリケーションとは異なる他のアプリケーションを実行させるステップと、前記他のアプリケーションの実行中に、前記電子機器に操作者が接触しているか否かを検知するステップと、接触を検知した場合には、前記他のアプリケーションの実行中に前記生体情報を検出するステップと、を有することを特徴とする生体情報検出方法である。
【発明の効果】
【００１３】
本発明によれば、電子機器においてユーザフレンドリーに生体情報を検出することが可能となる。
【図面の簡単な説明】
【００１４】
【図１】携帯電話機１の外観構成を示した正面図である。
【図２】携帯電話機１の外観構成を示した左面図である。
【図３】携帯電話機１の外観構成を示した右面図である。
【図４】携帯電話機１の全体構成ブロック図である。
【図５】本実施形態に係る実施例を説明するためのフローチャートである。
【図６】本実施形態に係る実施例を説明するためのフローチャートである。
【発明を実施するための形態】
【００１５】
以下、図面を用いて本発明を実施するための最良の形態について説明する。
【００１６】
＜＜携帯電話機１の外観についての説明＞＞
図１は、携帯電話機１の外観構成を示した正面図である。
図２は、携帯電話機１の外観構成を示した左面図である。
図３は、携帯電話機１の外観構成を示した右面図である。
【００１７】
携帯電話機１は、操作部側筐体２と、表示部側筐体３とを備え、操作部側筐体２と表示部側筐体３とはヒンジ機構を備える連結部４を介して連結される。ユーザは連結部４を介して連結された操作部側筐体２と表示部側筐体３とを、相対的に動かすことが可能となる。
【００１８】
操作部側筐体２は、操作部５と、マイクロフォン６とを有する。
【００１９】
操作部５は、電話帳アプリケーションやメールアプリケーション等の各アプリケーションを実行させるためのアプリケーション実行キーと、電話番号の数字やメール等の文字等を入力するための入力操作キーと、各種操作における決定や上下左右方向のスクロール等を行う決定操作キーと、から構成されている。
【００２０】
マイクロフォン６は、ユーザが通話時に発した音声が入力されるマイクの機能を有する。
【００２１】
なお、操作部側筐体２の側面には外部機器（例えば、ホスト装置）と通信を行うためのインターフェースと、所定のアプリケーションが割り当てられているサイドキーと、外部メモリの挿入及び取り出しが行われるインターフェースとが、設けられている。
【００２２】
また、本実施形態において、操作部側筐体２は、さらに、検出部７と、接触検知部８とを有する。
【００２３】
検出部７は、操作部５を操作するユーザの指等の接触を検出することにより、生体情報を検出する。生体情報として、体温、血圧、心拍数等があげられる。検出部７として、検出センサ等があげられる。例えば、検出センサとして、体温を検出するための体温センサや血圧を検出するための血圧センサがあげられる。体温センサは温度検出素子を使用することができる。血圧センサは半導体式の小型圧力センサを用いることができる。
【００２４】
図２、図３に示すとおり、検出部７は携帯電話機１の両側の側面に設けられている。ユーザは携帯電話機１の操作部５を操作する際に、携帯電話機１の側面に接触することが多いことが想定されることによる。しかし、検出部７は、携帯電話機１の側面に設けられるだけではなく、例えば操作部５が設けられる面と同一の面や、表示部側筐体３であって表示部が設けられる面と同一の面等、ユーザが携帯電話機１を操作する際に接触する可能性がある場所に設けても良い。
【００２５】
接触検知部８は、操作部５を操作するユーザの指等の接触を検知する。接触検知部８として、静電容量式のタッチセンサや抵抗膜式のタッチセンサ等があげられる。
【００２６】
図２、図３に示すとおり、接触検知部８は携帯電話機１の両側の側面に設けられており、前述の検出部７の一部に配置されている。ユーザは携帯電話機１を操作する際に、携帯電話機１の側面に接触することが多いことが想定されることによる。しかし、接触検知部８は、携帯電話機１の側面に設けられるだけではなく、例えば操作部５が設けられる面と同一の面や、表示部側筐体３であって表示部が設けられる面と同一の面等ユーザが携帯電話機１を操作する際に接触する可能性がある場所に設けても良い。接触検知部８は検出部７と兼ねて設けられるのが好ましく、接触検知部８の一部に検出部７が配置されていても良い。また、接触検知部８と検出部７が別々に設けられていても良い。
【００２７】
表示部側筐体３は表示部９とスピーカ１０とを有する。
【００２８】
表示部９は、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用される。表示部９には、待受け状態には待受け状態の画面が表示され、所定のアプリケーションが実行されている場合には、当該アプリケーションの動作に基づく画面が表示される。
【００２９】
スピーカ１０は、通話時の相手側の音声を出力するレシーバの機能を有する。
【００３０】
＜＜携帯電話機１の内部の構成についての説明＞＞
図４は、携帯電話機１の全体構成ブロック図である。携帯電話機１は内部に制御部１１を備えている。
【００３１】
制御部１１は、携帯電話機１の制御全般を行うためのものであり、ＣＰＵ１２と実行部１３と記憶部１４と作成部１５と判定部１６と報知部１７とを有する。
【００３２】
ＣＰＵ１２は、携帯電話機１全体の制御を行うための演算処理装置である。
【００３３】
実行部１３は、制御部１１の制御に応じて所定のアプリケーションが実行される。所定のアプリケーションとして、生体情報に関するアプリケーション（例えば、体温を検出するためのアプリケーション）や生体情報に関するアプリケーションとは異なる他のアプリケーション（例えば、電話帳アプリケーションやメールアプリケーション）等があげられる。
【００３４】
記憶部１４は、電話帳やメール等のアプリケーションプログラム、名前および電話番号が登録されたアドレス帳の各種データ、メールデータ、生体情報に関するデータ等様々なデータを記憶する。
【００３５】
作成部１５は、記憶部１４に記憶された生体情報に関するデータに基づいて時間と生体情報の対応関係を表す近似式を作成する。時間と生体情報の対応関係を表す近似式として、検出された生体情報及び当該生体情報を検出した日時に基づく回帰式等があげられる。回帰式の詳細については後述する。
【００３６】
判定部１６は、検出部７により検出された生体情報と、時間と生体情報の対応関係を表す式に基づいて算出される生体情報とに所定値以上の差分があるか否かの判定を行う。
【００３７】
報知部１７は、判定部１６により判定された結果に基づいて、所定の報知を行う。報知方法として、表示部９に表示することがあげられる。また、これに限られず、音、振動又は光による報知を行ってもよい。
【００３８】
＜＜生体情報の検出方法についての説明＞＞
ところで、生体情報を検出するために操作部５の所定の操作を必要としていては次のような問題が発生する。例えば、ユーザが生体情報を検出することを忘れてしまうおそれがあり、ユーザフレンドリーに生体情報を検出することができない。
【００３９】
そこで、上記のような問題点を解決すべく、本実施形態に係る制御部１１は、次のような制御を行う。すなわち、制御部１１は、生体情報に関するアプリケーションとは異なる他のアプリケーションが実行されている際に、検出部７に生体情報を検出させるような制御を行う。これにより、ユーザは生体情報を検出することを意識することなく、生体情報とは異なる他のアプリケーションが実行されているだけで、ユーザフレンドリーに生体情報を自動的に検出することが可能となる。
【００４０】
＜＜携帯電話機１の生体情報の検出時における動作についての説明＞＞
図５、図６は、本実施形態における実施例を説明するためのフローチャートである。本フローチャートにおいて、生体情報として体温を、生体情報に関するアプリケーションとして体温を検出するためのアプリケーションを、生体情報に関するアプリケーションとは異なる他のアプリケーションとしてメールアプリケーションを、それぞれ例に用いて説明する。
【００４１】
本フローチャートは、携帯電話機１の待受け状態（所定のアプリケーションが実行されていない状態）から始まる。待受け状態において、ユーザが操作部５を操作すると、実行部は、制御部１１の制御に応じて所定のアプリケーションが実行される。例えば、待受け状態において、ユーザが操作部５を構成する各キーのうちメールアプリケーションが実行されるための機能が割り当てられているキーを押圧すると、実行部１３は、制御部１１の制御に応じてメールアプリケーションが実行される。
【００４２】
はじめに、制御部１１は、実行部１３がメールアプリケーションを実行しているか否かを判断する（ステップＳ２）。そして、メールアプリケーションが実行していると判断した場合には（ステップＳ２：Ｙｅｓ）、接触検知部８が操作部５を操作するユーザの接触を検知しているか否かを判断する（ステップＳ４）。
【００４３】
そして、制御部１１は、接触検知部８が操作部５を操作するユーザの接触を検知していると判断した場合には（ステップＳ４：Ｙｅｓ）、検出部７が体温の検出を行うよう制御する（ステップＳ６）。これにより、ユーザはメールアプリケーションが実行しているだけで、意識することなくユーザフレンドリーに体温を検出することが可能となる。
【００４４】
ここで、制御部１１が、接触検知部８が操作部５を操作するユーザの接触を検知しているか否かを判断する理由は、メールアプリケーションが実行しているにも関わらず、体温を検出できない場合があるからである。例えば、ユーザが携帯電話機１を手で持つことなく、机の上に置いて、指でキーを押圧している場合等、ユーザが検出部７に接触していない場合である。このように、より確実に体温の検出が可能な場合にのみ、制御部１１は、検出部７が体温の検出を行うよう制御することによって、消費電力を節約することが可能となる。
【００４５】
記憶部１４は、検出部７による体温の検出結果について記憶すると共に当該体温を検出した日時（以下、検出データという。）についても記憶する（ステップＳ８）。例えば、１月１日１１時に検出された体温は３６．８度、１月１日１５時に検出された体温は３６．０度といった検出データを記憶することが可能である。これにより、ユーザは日時毎に検出された体温の検出結果を知ることが可能となる。日時毎に検出された体温の検出結果については、表示部９に表示させても良い。
【００４６】
制御部１１は、回帰式が作成部１５により作成されているか否かを判断する（ステップＳ１０）。
【００４７】
ここで回帰式について説明する。回帰式とは、取得した2つの変数に密接な関係（相関関係）があるとき、その2つの変数の対応関係を表す式をいう。作成部１５は、記憶部１４に記憶された検出データに基づいて最小二乗法等の手法を用いて計算することにより、時間と体温の対応関係を表す式を作成する。一例をあげて回帰式の作成方法について説明する。以下の通り、検出部７が体温を検出したとする。
(1)１月１日１１時における検出体温は３６．８度である。
(2)１月１日１５時における検出体温は３６．０度である。
(3)１月２日１２時における検出体温は３６．６度である。
(4)１月２日１６時における検出体温は３７．０度である。
作成部１５は、上記の通り検出された検出データに基づいて時間と体温の対応関係を表す最良の直線式又は曲線式、すなわち回帰式を作成する。これにより、検出していない時間帯（上記の例では１３時、１７時等）の検出体温を予測することが可能となる。
【００４８】
回帰式は、検出データを蓄積して蓄積された検出データに基づいて作成される。検出データが蓄積されていない場合は、回帰式を作成せず、検出データを蓄積する。蓄積された検出データが多ければ多いほど、より精度の高い回帰式が作成される。また、回帰式は、体温を検出する度に更新しても良いし、所定以上の間隔（例えば１週間、１ヶ月等）を空けて更新しても良い。回帰式は、前述の記憶部１４に検出データと共に記憶されても良い。
【００４９】
フローチャートに戻って説明する。制御部１１は、回帰式が作成されていると判断した場合には（ステップＳ１０：Ｙｅｓ）、判定部１６は、検出部７により検出された体温と、当該体温を検出した時間帯において回帰式により算出された予測体温とを、比較して所定値以上の差分があるか否かを判定する（ステップＳ１２）。また、回帰式が作成されていると判断しない場合には（ステップＳ１０：Ｎｏ）、作成部１５は、検出データを蓄積して蓄積された検出データに基づいて回帰式を作成する（ステップＳ１４）。
【００５０】
報知部１７は、判定部１６において検出部７により検出された体温と、当該体温を検出した時間帯において回帰式により算出された予測体温とを、比較して所定値以上の差分があると判定された場合は（ステップＳ１２：Ｙｅｓ）、その旨報知する（ステップＳ１６）。所定値以上の差分がある場合は、ユーザは健康状態にない可能性が高いと推測できる。所定値は、例えば、０．１度としても良いし、０．５度としても良いし、ユーザが自由に設定可能な値としても良い。
【００５１】
具体的には、ここで、所定値が０．１度とする。例えば、１月３日１１時に検出部７により検出された体温が３７．２度であり、回帰式により算出された１１時における予測体温が３６．８度である場合は、これらを比較して所定値以上の差分があると判定し、報知部１７はその旨報知する。
【００５２】
また、報知部１７は、判定部１６において検出部７により検出された体温と、当該体温を検出した時間帯において回帰式により算出された予測体温とを、比較して所定値以上の差分がないと判定された場合は（ステップＳ１２：Ｎｏ）、報知部１７はその旨報知する（ステップＳ１８）。所定値以上の差分がない場合は、ユーザは健康状態にある可能性が高いと推測できる。
【００５３】
以上により、本フローチャートは終了する。
【００５４】
上記において、制御部１１は、メールアプリケーションが実行を開始した際に、検出部７が体温の検出を開始するよう制御しても良い。これにより、ユーザはメールアプリケーションが実行を開始するだけで、意識することなく体温の検出を開始することが可能となる。
【００５５】
また、検出部７は、ＯＮ状態とＯＦＦ状態を切り換え可能な検出センサを有していても良い。検出センサは、制御部１１の制御に応じてＯＮ状態に移行させたり、ＯＮ状態の検出センサをＯＦＦ状態に移行させたりすることにより、体温の検出を開始したり、終了したりしても良い。生体情報とは異なる他のアプリケーションの実行が開始された際に、ＯＦＦ状態からＯＮ状態へと移行して体温の検出を開始し、生体情報とは異なる他のアプリケーションの実行が終了された際に、ＯＮ状態からＯＦＦ状態へと移行して体温の検出を終了する。このように、検出センサが、ＯＮ状態とＯＦＦ状態を必要に応じて切り替えられることによって、検出センサを常にＯＮ状態にして待機させておく場合に比べて、本発明は検出部７の待機時間を制御することができるため、消費電力を節約することが可能となる。
【００５６】
＜＜その他の実施形態＞＞
上述の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に以下に述べる実施形態であっても、本発明に含まれるものである。
【００５７】
また、上述の実施形態において、生体情報を検出するためのアプリケーションとは異なる他のアプリケーションとしてメールアプリケーションを例に用いて説明したが、これに限られず、例えば、文字又は記号を入力するアプリケーション、ウェブブラウザアプリケーション、通話アプリケーションであっても良い。これらのアプリケーションが実行している場合には、ユーザは所定時間以上操作を行っていることが想定されることによる。文字又は記号を入力するアプリケーションとして、例えばメールアプリケーションがあげられる。メールアプリケーションが実行している場合は、ユーザは受信メールや送信メールを閲覧している、送信するための文章を作成している等、所定時間以上操作を行っていることが想定される。ウェブブラウザアプリケーションが実行している場合は、ウェブ上の情報を閲覧している等、所定時間以上操作を行っていることが想定される。通話アプリケーションが実行している場合は、ユーザは通話を行なっている等、所定時間以上操作を行っていることが想定される。このように、ユーザは体温を検出することを意識することなく、受信メールや送信メールを閲覧したり、文章を作成したり、ウェブ上の情報を閲覧したり、通話をしながら体温を検出することが可能となる。また、生体情報を検出するためのアプリケーションとは異なる他のアプリケーションは、上記アプリケーションに限られず、ゲームアプリケーションやアラーム通知アプリケーション、ユーザが設定可能なアプリケーションでも良い。
【００５８】
また、上述の実施形態は、連結部４により折り畳み可能な携帯電話機１を例に用いて説明しているが、本発明はこれに限定されるものではない。例えば、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部４を有さない型式（ストレートタイプ）でも良い。
さらに、フリップを備えて、操作部５のみを覆い隠し可能であり、表示部が常に露出して
いるようなフリップタイプ等様々な携帯電話機に適用可能である。
【００５９】
また、上述の実施形態において、携帯電話機１を例に用いて説明したが、本発明はこれに限定されるものではない。例えば、ＰＨＳ（登録商標：Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、パーソナルコンピュータやゲーム機等、様々な電子機器に適用可能である。
【符号の説明】
【００６０】
１  携帯電話機
２  操作部側筐体
３  表示部側筐体
４  連結部
５  操作部
６  マイクロフォン
７  検出部
８  接触検知部
９  表示部
１０  スピーカ
１１  制御部
１２  ＣＰＵ
１３  実行部
１４  記憶部
１５  作成部
１６  判定部
１７  報知部
【図１】
2011010059.tif 000003
【図２】
2011010059.tif 000004
【図３】
2011010059.tif 000005
【図４】
2011010059.tif 000006
【図５】
2011010059.tif 000007
【図６】
2011010059.tif 000008